(57)【特許請求の範囲】
【請求項１】
排気チャンバーに取り付けられる吸気装置を備えた外排出と内循環の薄型レンジフードであって、
前記吸気装置は、ケースと、隈取コイルモータに回転自在に取り付けられる２つのファンと、炭素製のボックスと、換気用ダクトと、排気口と、ウィンドシールドとを有し、
前記ケースには、その左右両側に前記換気用ダクトがそれぞれ設けられ、
前記排気口は、前記ケースの側壁で、且つ、左右両側の前記換気用ダクトのそれぞれを流通する排気を合流させた状態で排出させることが可能な位置に設けられ、
２つの前記ファンは、前記ケースの左右両側の前記換気用ダクトにそれぞれ設けられ、
前記換気用ダクトは、
前記ファンと当該ファンの周囲を覆うように立設される内側壁部との間に形成され、前記排気を流通させる内側換気路と、
前記内側壁部と当該内側壁部の周囲を覆うように立設された外側壁部との間に形成され、前記内側換気路から排出された前記排気を流通させる外側換気路と、を有し、
前記ウィンドシールドは、
前記排気口に対して開閉自在に設けられ、前記換気用ダクトを流通する前記排気の排出方式を開閉によって前記外排出と前記内循環とに選択的に切り替えることが可能であり、
前記排気の排出方式を前記外排出となるように切り替えると、前記外側換気路の排気流入部を閉塞して、前記排気を前記内側換気路を介して前記排気口から排出させる一方、
前記排気の排出方式を前記内循環となるように切り替えると、前記排気口を閉塞して、前記排気を前記内側換気路及び前記外側換気路の順で流通させ、
前記ファンの下端には、油煙の異臭を取り除く前記ボックスが設けられ、
前記ボックスには、油煙給気口が設けられ、
前記ケースには、それぞれ対応する第１カバープレート、第２カバープレート及び第３カバープレートによってカバーされたワイヤ溝が設けられることを特徴とする外排出と内循環の薄型レンジフード。
【請求項２】
前記ケースの左右両側には、前記ファンを取り付けるための円状孔がそれぞれ設けられていることを特徴とする請求項１に記載の外排出と内循環の薄型レンジフード。
【請求項３】
前記換気用ダクトは、平面スクロール式の形状であり、
前記ケースの前側には、内循環排気ダクトがさらに設けられ、
前記内循環排気ダクトは、左右両側の前記換気用ダクトと貫通していることを特徴とする請求項１に記載の外排出と内循環の薄型レンジフード。
【請求項４】
前記換気用ダクトと、前記排気口の方向と、内循環排気ダクトと、前記ファンの排気道とは、同一の水平面に設けられていることを特徴とする請求項１に記載の外排出と内循環の薄型レンジフード。
【請求項５】
前記ファンの下端には、前記ボックスに対応した突起装置が設けられており、
前記突起装置と前記ボックス上の貫通孔とを合致させることにより、前記ボックスが緩むことを防止することを特徴とする請求項１に記載の外排出と内循環の薄型レンジフード。
【発明の詳細な説明】
【技術分野】
【０００１】
本発明は、キッチン家電に関する。具体的には、外排出と内循環の薄型レンジフードに関するものである。
【背景技術】
【０００２】
薄型レンジフードは、それ自体の構造に無駄がなく、占用空間が小さく、且つ価格が比較的に安いといったメリットから、多くの使用者に愛用されてきた。しかし、普通の薄型レンジフードは、油煙を直接大気に排出することから、実際に油煙による二次汚染が存在する。それとは別に、油煙を分離処理した後、キッチン内に排出し、循環させるというもう１種類の薄型レンジフードがある。しかし後者のほうは、構造が比較的複雑で、コストも高すぎるという欠点がある。また現在の薄型レンジフードの使用性能は極めて単一である。
【発明の概要】
【発明が解決しようとする課題】
【０００３】
本発明が解決しようとする課題は、外排出と内循環の薄型レンジフードを提供することにより、従来技術におけるレンジフード性能が単一で且つ構造が複雑といった不備を解消することである。
【課題を解決するための手段】
【０００４】
前述した目的を達成するため本発明は、外排出と内循環の薄型レンジフードを提供する。当該外排出と内循環の薄型レンジフードは、排気チャンバーに取り付けられる吸気装置を含み、当該吸気装置は、ケースと、隈取コイルモータに回転自在に取り付けられる２つのファンと、炭素製のボックスと、換気用ダクトと、排気口と、ウィンドシールドとを有する。前記ケースには、その左右両側に前記換気用ダクトがそれぞれ設けられ、前記排気口は、前記ケースの側壁で、且つ、左右両側の前記換気用ダクトのそれぞれを流通する排気を合流させた状態で排出させることが可能な位置に設けられ、２つの前記ファンは、前記ケースの左右両側の前記換気用ダクトにそれぞれ設けられ、前記換気用ダクトは、前記ファンと当該ファンの周囲を覆うように立設される内側壁部との間に形成され、前記排気を流通させる内側換気路と、前記内側壁部と当該内側壁部の周囲を覆うように立設された外側壁部との間に形成され、前記内側換気路から排出された前記排気を流通させる外側換気路と、を有し、前記ウィンドシールドは、前記排気口に対して開閉自在に設けられ、前記換気用ダクトを流通する前記排気の排出方式を開閉によって前記外排出と前記内循環とに選択的に切り替えることが可能であり、前記排気の排出方式を前記外排出となるように切り替えると、前記外側換気路の排気流入部を閉塞して、前記排気を前記内側換気路を介して前記排気口から排出させる一方、前記排気の排出方式を前記内循環となるように切り替えると、前記排気口を閉塞して、前記排気を前記内側換気路及び前記外側換気路の順で流通させ、前記ファンの下端には、油煙の異臭を取り除く前記ボックスが設けられ、前記ボックスには、油煙給気口が設けられ、前記ケースには、それぞれ対応する第１カバープレート、第２カバープレート及び第３カバープレートによってカバーされたワイヤ溝が設けられることを特徴とする外排出と内循環の薄型レンジフードである。
【０００５】
上記技術案では、前記ケースの左右両側には、前記ファンを取り付けるための円状孔がそれぞれ設けられている。
【０００６】
上記技術案では、前記換気用ダクトは、平面スクロール式の形状であり、前記ケースの前側には、内循環排気ダクトがさらに設けられ、前記内循環排気ダクトは、左右両側の前記換気用ダクトと貫通している。
【０００７】
上記技術案では、前記換気用ダクトと、前記排気口の方向と、内循環排気ダクトと、前記ファンの排気道とは、同一の水平面に設けられている。
【０００９】
上記技術案では、前記ファンの下端には、前記ボックスに対応する突起装置が設けられており、前記突起装置と前記ボックス上の貫通孔とを合致させることにより、前記ボックスが緩むことを防止する。
【発明の効果】
【００１０】
従来技術よりも、本発明の技術案には次のメリットがある。薄型レンジフードの内循環には排気チューブがいらず、分離された油煙の異臭が炭素製のボックスで吸い込まれて浄化された後キッチン内に排出されて新鮮な気流として循環される。外排出するとき、チューブで室外に排出されるのは油煙汚染のない新鮮な空気である。また、本発明薄型レンジフードは、極めて簡単な構造で外排出と内循環の機能を結びつけ、内循環と外排出の二つの選択機能を有する。これで、異なる家庭の日常生活の使用を満たすことができ、極めて便利で、さらに、隈取コイルモータに回転自在に取り付けられる２つのファンを使用することから、油煙を吸い込む効果が優れている。
【図面の簡単な説明】
【００１１】
【図１】本発明に係る外排出と内循環の薄型レンジフードの分解図である。
【図２】本発明に係る外排出と内循環の薄型レンジフードのもう一つの分解図である。
【図３】本発明に係る外排出と内循環の薄型レンジフードの外排出における使用状態を示す図である。
【図４】本発明に係る外排出と内循環の薄型レンジフードの内循環における使用状態を示す図である。
【発明を実施するための形態】
【００１２】
以下に図面及び実施例を参照して、本発明の具体的な実施形態に対し詳細に説明する。以下に述べる実施例は単に本発明を説明するために用いられ、本発明の請求範囲を制限するものではない。
【００１３】
図１、図２に示すように、外排出と内循環の薄型レンジフードであって、排気チャンバーに取り付けられる吸気装置１を含み、当該吸気装置１は、ケース２と、隈取コイルモータに回転自在に取り付けられるファン３と、炭素製のボックス４と、換気用ダクト５と、排気口６と、ウィンドシールド７と、を有する。前記排気口６はケース２の側壁に設けられ、前記ケース２は左右両側に換気用ダクト５がそれぞれ設けられ、排気口６は左右両側の換気用ダクト５と貫通しており、前記ウィンドシールド７は前記排気口６に設けられ、前記ファン３は前記ケース２左右両側の換気用ダクト５にそれぞれ設けられ、ファン３の下端には油煙の異臭を取り除くボックス４が設けられ、油煙給気口８は前記ボックス４に設けられ、ケース２にはワイヤ溝９が設けられており、電源線が溝中に敷設され、それぞれカバープレートＡ１０、カバープレートＬ１１、カバープレートＴ１２によってカバーされたことで、レンジフードがより洗練されたものになる。
【００１４】
前記ケース２の左右両側に前記ファン３と合致する取り付けのための円状孔１３がそれぞれ設けられており、左右両側の前記ファン３のファンブレードの回転方向はそれぞれ反時計回りと時計回りであり、前記ファンブレードの回転方向は排気道と一致すべきである。
【００１５】
前記換気用ダクト５は平面スクロール式の形状であり、ケースの前側には内循環排気ダクト１４がさらに設けられ、内循環排気ダクト１４は左右両側の換気用ダクトと貫通して、左右両側から吸い込まれた油煙が内循環による排気道で合流するとき、油煙がさらに上昇して、排気チャンバーからキッチン内に排出し、循環される。
【００１６】
前記換気用ダクト５と、排気口６の方向と、内循環排気ダクト１４と、ファン３の排気道とは同一の水平面に設けられている。
【００１７】
前記排気口６に取り付けられた前記ウィンドシールド７とケース２の間はヒンジ・タイプ接続になっており、ウィンドシールド７の他端に設けられた長方形の突起により往復で方向を変える。
【００１８】
前記ファン３の下端には、ボックス４に対応する突起装置１５が設けられており、突起装置１５とボックス４上の貫通孔１６とを合致させることにより、ボックス４が緩むことを防止する。
【００１９】
図３に示すように、本発明は、外排出使用時の操作過程において、まず左右両側のウィンドシールド７を開き、レンジフードの電源が入ったら起動し、油煙がボックス４にて浄化されてファン３に入って加圧された後、左右両側の換気用ダクト５を介して排気チューブによって排気口６からすぐ室外へ排出される。もちろん本発明は、油煙のにおいが酷い家庭で使用される場合、ボックス４を取り外して、排気チューブによって排気口６から室外に直接排出しても良い。
【００２０】
図４に示すように、本発明は、内循環使用時の操作過程において、まず、左右両側のウィンドシールド７を閉じ、レンジフードの電源が入ったら起動し、左右両側のウィンドシールド７が閉じていることと、周りも排気チャンバーのケースにより密封されるので、油煙がボックス４にて浄化され、ファン３に入って加圧された後、それぞれ左右両側の換気用ダクト５からケース２の前面の内循環排気ダクト１４で合流し、最後に油煙が上昇して、排気チャンバーに設けられた排気口からキッチン内に排出されて循環される。
【００２１】
本発明の薄型レンジフードの内循環には排気チューブがいらず、分離された油煙の異臭がボックスに吸い込まれ、浄化された後キッチン内に排出され、新鮮な気流として循環される。外排出するとき、チューブで室外に排出されるのは油煙汚染のないきれいな空気である。また、本発明の薄型レンジフードは、極めて簡単な構造で外排出と内循環の機能を結びつけ、内循環と外排出の二つの選択機能を有する。これで、異なる家庭の日常生活を満たすことができ、極めて便利で、さらに、二つの隈取コイルモータに回転自在に取り付けられるファンを使用することから、油煙を吸い込む効果が優れている。
【００２２】
以上は本発明の好ましい実施の形態に過ぎず、当業者にとって、本発明の技術原理から逸脱しない限り、若干の改善および手直しをすることもでき、これらの改善および手直しは本発明の請求範囲として見なすべきである。
【符号の説明】
【００２３】
１  吸気装置
２  ケース
３  （隈取コイルモータに回転自在に取り付けられる）ファン
４  （炭素製の）ボックス
５  換気用ダクト
６  排気口
７  ウィンドシールド
８  油煙給気口
９  ワイヤ溝
１０  カバープレートＡ（第１カバープレート）
１１  カバープレートＬ（第２カバープレート）
１２  カバープレートＴ（第３カバープレート）
１３  円状孔
１４  内循環排気ダクト
１５  突起装置
１６  貫通孔
【図１】
0005988454.tif 000002
【図２】
0005988454.tif 000003
【図３】
0005988454.tif 000004
【図４】
0005988454.tif 000005